(57)【要約】【課題】  ルーレットゲーム機が代表的例である擂り鉢状プレイフィールドにボールを転動させるボールゲーム機に、スマートボール機と同様にボール発射装置を接続することで、遊技者が擂り鉢状プレイフィールドにボールを発射することで、技術介入を可能とし、擂り鉢状プレイフィールドを用いた新たなボールゲーム機を提供することを目的とする。【解決手段】  ルーケット盤等の擂り鉢状プレイフィールド上にボールを転動させるボールゲーム機において、前記擂り鉢状プレイフィールド上部外周に設けたボール入口を有する案内壁と、前記案内壁のボール入口に接続するボール発射装置を有することを特徴とする上記のボールゲーム機【選択図】図１
2018075339.tif 000002
【特許請求の範囲】
【請求項１】
ルーレット盤等の擂り鉢状プレイフィールド上にボールを転動させるボールゲーム機において
前記擂り鉢状プレイフィールドの上部外周に設けたボール入口を有する案内壁と、
前記案内壁のボール入口に接続するボール発射装置を有することを特徴とするボールゲーム機
【請求項２】
請求項１において、
前記ボール発射装置に前記ボールを供給する手段として、
長方形孔を有する傾斜板と、
前記ボールの直径よりも大径のボール孔を外周に沿って複数個設けたボール回転板と、
前記ボール回転板のボール孔にボールを供給する樋状ボールガイド部と、
前記傾斜板面上に設けたボール発射装置までボールを誘導するボールガイドと、
前記ボール回転板を駆動装置の駆動軸を介して取付けたボール受け板を有し、ボール受け板と傾斜板の位置関係は、ボール受け板が傾斜板に設けられた長方形孔の低位傾斜方向の一辺と同一面の裏側に立直して設けられている。また、駆動軸を介してボール受け板に取付けられているボール回転板とボール受け板の位置関係は、その間隙がボールの半径程度を保つように設けられている。また、傾斜板とボール回転板の高さ方向の位置関係は、ボール回転板のボール孔が１２時の位置にある時、ボール孔の全体が傾斜板の面上より露出する位置に設けられていることを特徴とするボールゲーム装置。
【発明の詳細な説明】
【発明の詳細な説明】
【技術分野】
【０００１】  本発明はボール発射装置からボールを打出し、擂り鉢状プレイフィールド上を転動させ、ボールを出目エリアに落下させることにより、役の成立楽しむことができるボールゲーム機に関するものである。
【背景技術】
【０００２】  擂り鉢状プレイフィールドにボールを転動させるボールゲーム機の代表的例としてはルーレットゲーム機やビンゴゲーム機がある。ゲームセンターに設置されているルーレットゲーム機は、プレイフィールドの構造が擂り鉢状のプレイフィールドになっており、回転盤（ウィル）と、その外周に設けられた固定プレイフィールドで構成されている。回転盤（ウィル）の周辺部にはボール収納部が設けられ、その外側にはそれぞれのボール収納部に対応する数字（ナンバー）が表示されている。【０００３】  ルーレットゲーム機等の遊技機でメダルを使用する所謂メダルゲーム機は、遊技者がメダルを遊技機に投入することにより、ゲームを開始することができるゲームである。特許文献１に記載されたルーレットゲーム機においては、一つのルーレット盤に対し、複数のユニットが設けられ、複数の遊技者が同時にルーレットゲームに参加可能になっている。遊技者は回転盤に配置されている数字（ナンバー）の中から、ボールが収納されるボール収納部に対応する数字（ナンバー）を選択するゲームである。ルーレット盤へのボールの投入および回収と、ボールが収容されたボール収納部の識別等が全自動で行われる。擂り鉢状プレイフィールド上部の（バンク通路）に投入されたボールがその上部を転動周回後、勢いがなくなるにしたがって下降し、回転盤に多数設けられたボール収納部のいずれかに収納される。遊戯者の選択した数字（ナンバー）とボールが収容されたボール収納部の数字（ナンバー）が一致すれば、遊技者に所定の倍率でメダルが払い戻される。
【特許文献１】特開２００７−４５１
【０００４】  また、平面プレイフィールドにボールを転動させる遊技機としてスマートボール機がある。特許文献２に記載されたスマートボール機は、若干前方に傾斜を付した平面プレイフィールド上に縦４段横４列の１６個所に入賞孔が設置されている。メダルタイプではメダルをメダル投入口に入れると規定数のボールがセットされる。設置された入賞孔を狙って、下方のボール発射手段よりボールを発射し、与えられたボールを打ち終わるまでに、縦横もしくは斜め向かいに４個そろえることで得点（メダル）の獲得を狙うスマートボール機である。
【特許文献２】特開平１０−１４６４２０
【０００５】  スマートボール機は、遊技者が打撃シャフトとスプリングで構成されている発射装置の把手を引絞った後に把手を離すことで、スプリングの復元力により平面プレイフィールド上方へボールは打ち出す方式なので、遊技者が打撃シャフトの引絞りを加減することにより、ゲームに技術介入することができる。擂り鉢状プレイフィールドにボールを転動させるボールゲーム機の代表的例としてのルーレットゲーム機においては、出目を選択するゲーム性と、複数の遊技者がゲームに参加するために、プレイフィールドへのボールの発射および回収は全自動で行われているので、遊技者がゲームに技術介入することはできない。
【発明が解決しようとする課題】
【０００６】  本発明は、擂り鉢状プレイフィールドにボールを転動させるボールゲーム機にスマートボール機と同様なボール発射装置を接続することにより、遊技者が擂り鉢状プレイフィールドへのボールの発射に関与することにより、遊技者がゲームに技術介入することが可能とし、擂り鉢状プレイフィールドを用いた新たなボールゲーム機を提供することを目的とする。
【課題を解決するための手段】
【０００７】  請求項１に係るボールゲーム機は、ルーケット盤等の擂り鉢状プレイフィールド上にボールを転動させるボールゲーム機において、前記擂り鉢状プレイフィールド上部外周に設けたボール入口を有する案内壁と、前記案内壁のボール入口に接続するボール発射装置を有することを特徴とするボールゲーム機
【０００８】  請求項２に係るボールゲーム機は、前記ボール発射装置にボールを供給する手段として、長方形孔を有する傾斜板と、前記ボールの直径よりも大径のボール孔を外周に沿って複数個設けたボール回転板と、前記ボール回転板のボール孔にボールを供給する樋状ボールガイド部と、前記傾斜板面上に設けたボール発射位置までボールを誘導するボールガイドと、前記ボール回転板を駆動装置の駆動軸を介して取付けたボール受け板とを有し、ボール受け板と傾斜板の位置関係は、ボール受け板が傾斜板に設けられた長方形孔の低位傾斜方向の一辺と同一面の裏側に立直して設けられている。また、駆動軸を介してボール受け板に取付けられているボール回転板とボール受け板の位置関係は、その間隙がボール半径程度を保つように設けられている。また、傾斜板とボール回転板の高さ方向の位置関係は、ボール回転板のボール孔が１２時の位置にある時、そのボール孔の全体が傾斜板の面上より露出する位置に設けられていることを特徴とするボールゲーム装置。
【発明の効果】
【０００９】  請求項１に係るボールゲーム装置では、擂り鉢状プレイフィールド上部外周にボール入口を有する案内壁を設け、そのボール入口にボール発射装置を接続することにより、遊技者が擂り鉢状プレイフィールドへのボールの発射に関与することが可能となり、ゲームに技術介入することができる。
【００１０】  また、請求項２に係るボールゲーム機では、擂り鉢状プレイフィールド上に設けた入賞孔に落下したボールを回収するとともに、ボール発射装置にボールを供給することが可能となる。
【００１１】  本発明は、スマートボール機と同様に、遊技者がボールの発射に関与することができるので、擂り鉢状プレイフィールドを転動するボールの強弱を加減することできる。また、ルーレット盤と同様に、擂り鉢状プレイフィールド内に入賞孔を放射状に展開して設置した場合、ボールは擂り鉢状プレイフィールド上を周回転動しながら、下降していずれかの入賞孔に入ることになり、擂り鉢状プレイフィールドの３６０度の全方位から、入賞孔を狙うことが可能となる。
【発明の実施の形態および実施例】
【００１２】  図１は、本発明の一実施例を示すボールゲーム機ＳＧ１の全体概略斜視図を示す図である。図２は、本発明の実施例である擂り鉢状プレイフィールド盤の概略斜視図である。図３は、本発明の実施例であるプレイフィールドの平面概略図である。図４は、本発明の実施例であるプレイフィールドの右側面概略図である。図５は、本発明の実施例であるプレイフィールドの概略斜視図である。図６は、本発明の実施例であるボールの回収および供給装置の概略斜視図である。図７は、本発明の実施例であるプレイフィールドを右側下方から見た概略斜視図である。
【００１３】  以下、本発明に係るボール発射装置からボールを打出し、擂り鉢状プレイフィールド上を転動させるボールゲーム機について、実施例に基づき図面を参照しながら詳細について説明する。
【００１４】    先ず、本実施例に係るボールゲーム機について図１に基づき説明する。
図１に示すように、ボールゲーム機ＳＧ１は、本体部分となる筐体１と、筐体１の上面に設けられたプレイフィールド２からなっている。プレイフィールド２には支持板１１に支持されている擂り鉢状プレイフィールド盤３と、傾斜板３６が設けられている。傾斜板３６上面にはボール発射装置２０とボールガイド板３７が設けられ、その下面にはボールホッパー部３０が設けられている。筐体１の正面のバックボード８にはデスプレイ５が設けられている。ここでデスプレイ５とは、ゲームに係る画像を表示する。また、筐体１の前面には、貨幣や遊技に使用するメダル等の遊技媒体を投入するメダル投入口６と、メダル払出口７が設けられている。
【００１５】  そして、メダル投入口６の内部にはメダルセンサー（図示せず）が設けられており、メダル投入口６より投入されたメダル等の遊技媒体の識別を行うとともに、投入されたメダル数のカウントをする。また、メダル払出口７の内部にはメダルホッパー（図示せず）が設けられており、所定枚数のメダルをメダル払出口７から払い出す。
【００１６】  筐体１の正面のバックボード８に設けられたデスプレイ５には、縦の段に４コマと、横の列に４コマ計１６コマのマス目９の画像が表示され、各マス目９に左上から順番に図形文字としての「１」〜「１６」の各数字が表示されている。
【００１７】  先ず、本実施形態に係るボールゲーム機ＳＧ１のプレイフィールド２は、ゲーム中にボールＢが転動する領域を有する擂り鉢状プレイフィールド盤３と、擂り鉢状プレイフィールド盤３にボールを発射するボール発射装置２０と、ボール発射装置２０にボールを供給するボールホッパー部３０から基本的に構成されている。
【００１８】  図２、図５に示すように擂り鉢状プレイフィールド３盤の上端には、その外周に沿って垂直方向に立設したボール入口４を有する案内壁１５が設けられている。案内壁１５に設けられたボール入口４には、ボール発射装置２０のボール発射通路２１が、擂り鉢状プレイフィールド盤３の外周接線の延長上に接続されている。
【００１９】  また、擂り鉢状プレイフィールド盤３には、二重の周方向に１２個と４個（計１６個）の入賞孔１２と、中央にアウト孔１３が１個設けられている。各入賞孔１２の外方向における擂り鉢状プレイフィールド３の上面には各入賞孔１２対応するように図形文字としての「１」〜「１６」の各数字１９が表記されている。また、各入賞孔１２とアウト孔１３に対応するように、擂り鉢状プレイフィールド３の裏側に設けられた筒状ボールガイド１７にはセンサーＣ（入賞センサー）１４とセンサーＥ（アウトセンサー）１６が設けられ、各入賞孔１２とアウト孔１３に入ったボールＢを識別する。
【００２０】  ボール発射装置２０は、ボール発射通路２１と、打撃シャフト２２と、スプリング２３と、把手２４と、センサーＡ（発射位置センサー）２５と、センサーＢ（通過センサー）２６と、発射位置ストッパー２７とで構成されている。センサーＡ２５は発射位置のボールＢの有無を検出し、センサーＢ２６は発射されたボール２の通過を検出する。
【００２１】  図６、図７に示すように、擂り鉢状プレイフィールド盤３の下方には、入賞孔１２ないしはアウト孔１３に入ったボールＢを回収するためにボール回収板２９が設けられ、擂り鉢状プレイフィールド盤３の入賞孔１２およびアウト孔１３に入ったボールＢは、筒状ボールガイド１７を経由してボール回収板２９上に落下する。落下したボールＢは、ボールホッパー部３０の樋状ボールガイド３４に誘導される。
【００２２】  図８は、本発明の実施例であるボールホッパー部３０のボールＢの動作を示す概略斜視図である。図９は、本発明の実施例であるボールホッパー部３０の右側面概略図である。
【００２３】  ボールホッパー部３０はボール発射装置２０にボールＢを供給する装置であり、ボールＢの直径よりも大径のボール孔３２を外周に沿って複数個設けたボール回転板３１と、ボール回転板３１を駆動するモータ３３と、ボールＢをボール回転板３１のボール孔３２に案内する樋状ボールガイド３４と、ボール受け板３５で構成されている。また、ボール回転板３１はモータ３３の駆動軸３３ａを介してボール受け板３５に取付けられている。ボール回転板３１とボール受け板３５面との間隙は、ボール半径程度を保つように設けられている。
【００２４】  ボール受け板３５と傾斜板３６の位置関係は、ボール受け板が傾斜板に設けられた長方形孔の低位傾斜方向の一辺と同一面の裏側に立直して設けられている。その取付け高さは、ボール回転板３１のボール孔３２が、１２時の位置にある時、ボール孔３２の全体がベース板３６の面上より露出する位置に設けられている。また、傾斜板３６の上面にはボール発射装置２０と、ボールガイド板３７と、センサーＤ（供給センサー）３８が設けられている。なお、傾斜板３６は傾斜を付した状態で筐体１に取付けられているので、傾斜板３６に設けたボールホッパー部３０およびボール回収板２９も同様な角度で傾斜している。
【００２５】  ボールホッパー部３０のボールＢの動作について説明する。
【００２６】  図８、図９に示すように、ボールホッパー部３０には事前に複数個のボールＢを供給して準備する必要がある。本実施例に於いては、ボール回転板３１に８個のボール孔３２が設けられているので、事前に複数個のボールＢを樋状ボールガイド３４にボールＢを供給した場合、ボールホッパー部３０は傾斜板３６と同様に傾斜しているので、複数個ボールは、ボール回転板３１の６時付近に滞留する。モータ３３を駆動することで、ボール回転板３１が反時計方向に回転すると、滞留していたボールＢは、ボール孔３２が６時の位置に回転して来るに従って、次々とボール孔３２に嵌り込み、そのままの状態でボール回転板３１と一緒に回転を続ける。
【００２７】  ボール回転板３１のボール孔３２に嵌り込みながら回転するボールＢは、１時から１２時にかけて傾斜板３６面上に出現し、１２時の位置でボール孔３２から完全に離脱する。離脱したボールＢは、傾斜板３６面上に落下、転動し、ボールガイド板３７に案内され、ボール発射通路２１を転動して発射位置に設けられた二本の発射位置ストッパー２７で停止する。停止した時点でセンサーＡ（発射位置センサー）２５で検出される。なお、ボールＢがボール孔３２から離脱した時点でセンサーＤ（供給センサー）３８により検出され、ボール回転盤３１は停止する。事前に樋状ボールガイド３４に投入された残りのボールＢは、ボール孔３２に嵌り込んだまま停止するので、次のゲームでのボール発射装置２０へのボールＢの供給を速やかにすることができる。
【００２８】  次に、ゲーム進行に伴うボールＢの流れについて説明する。
【００２９】  メダル投入口６にメダルを投入し、スタートボタン１０を押すとゲームスタートとなり、ボール発射装置２０にボールＢを供給するために、ボールホッパー部３０のボール回転板３１が回転し、ボール発射装置２０にボールＢを供給される。ボールＢが発射位置に供給される過程で、センサーＤ（供給センサー）３８とセンサーＡ（発射位置センサー）２５で検出される。なお、遊技者は与えられたボール数がなくなるまでゲームを繰り返すことができる。
【００３０】  発射位置にボールＢが供給されたら、遊技者はボール発射装置２０の把手２４を引絞って離すことにより、ボールＢは打撃シャフト２２で打撃されてボール発射通路２１を擂り鉢状プレイフィールド３盤に向かって発射される。ボール発射通路２１より発射されたボールＢは、案内壁１５に設けたボール入口４から擂り鉢状プレイフィールド盤３内に打出され、その外周に沿って設けられた案内壁１５に誘導された後、擂り鉢状プレイフィールド盤３内を周回転動する。なお、ボールＢの発射がセンサーＡ（発射位置センサー）２５で検出され、ボールＢがセンサーＢ（通過センサー）２６で検出された時点で与えられたボール数が残っていれば、次のゲームでのボールを供給するためにボール回転板３１が回転し、発射装置２０にボールＢが供給される。
【００３１】  擂り鉢状プレイフィールド盤３に打ち出されボールＢは、その擂り鉢状プレイフィールド盤３上部を周回転動しながら、次第に下降して行き、擂り鉢状プレイフィールド盤３に設けられた１６個の入賞孔１２の何れかに入るか、また、入らない場合は中央のアウト孔１３に落下することになる。
【００３２】  入賞孔１２の何れかに入った場合、筒状ボールガイド１７を通過し入賞孔１２に対応して設けられているセンサーＣ（入賞センサー）１４に検出され、バックボード８に設けられたデスプレイ５に表示されている１６コマのマス目９の画像に、入った入賞孔１２に該当する数字のマス目９が点灯表示される。筒状ボールガイド１７を通過したボールＢは、ボール回収板２９上に落下、転動してボールホッパー部３０の樋状ボールガイド３４に誘導される。
【００３３】  以下、与えられたボール数を打ち終わるまでに、同様にゲームを繰り返し、１６コマのマス目９が縦横もしくは斜め向かいに４個そろえることで得点（メダル）の獲得を狙うゲームである。
【００３４】  なお、上記ボールゲーム機ＧＳ１の実施例の形態の擂り鉢状プレイフィールド盤３に設けた入賞孔１２の周囲に複数の釘を立設して、ボールＢの転動に変化をもたらせてもよい。また、ルーレット盤と同様にすり鉢状のプレイフィールド盤３内に回転盤（ウィル）を設け、入賞孔やボール収納部を設けてもよい。
【図面の簡単な説明】
【図１】本発明の一実施例を示すであるボールゲーム機ＳＧ１の全体概略斜視図
【図２】本発明の実施例である擂り鉢状プレイフィールド盤の概略斜視図
【図３】本発明の実施例であるプレイフィールドの平面面概略図
【図４】本発明の実施例であるプレイフィールドの右側面概略図
【図５】本発明の実施例であるプレイフィールドの概略斜視図
【図６】本発明の実施例であるボールの回収および供給装置の概略斜視図
【図７】本発明の実施例であるプレイフィールドを右下方側面から見た概略斜視図
【図８】本発明の実施例であるボールホッパー部の概略斜視図
【図９】本発明の実施例であるボールホッパー部の右側面概略図
【符号の説明】ＳＧ１：ボールゲーム機
Ｂ：ボール
１…筐体
２…プレイフィールド
３…擂り鉢状プレイフィールド盤
４…ボール入口
５…デスプレイ
６…メダル投入口
７…メダル払出口
８…バックボード
９…マス目
１０…スタートボタン
１１…支持板
１２…入賞孔
１３…アウト孔
１５…案内壁
１７…筒状ボールガイド
１９…各数字（ナンバー）
２０…ボール発射装置
２１…ボール発射通路
２２…打撃シャフト
２３…スプリング
２４…把手
２５…センサーＡ（発射位置センサー）
２６…センサーＢ（通過センサー）
２７…発射位置ストッパー
２９…ボール回収板
３０…ボールホッパー部
３１…ボール回転板
３２…ボール孔
３３…モータ
３３ａ…駆動軸
３４…樋状ボールガイド
３５…ボール受け板
３６…傾斜板
３７…ボールガイド板
３８…センサーＤ（供給センサー）
３９…長方形孔
【図１】
2018075339.tif 000003
【図２】
2018075339.tif 000004
【図３】
2018075339.tif 000005
【図４】
2018075339.tif 000006
【図５】
2018075339.tif 000007
【図６】
2018075339.tif 000008
【図７】
2018075339.tif 000009
【図８】
2018075339.tif 000010
【図９】
2018075339.tif 000011